(57)【特許請求の範囲】
【請求項１】
ごみ箱上部に設けた第一ごみ投入口端に枢支部をもってフラップ状に開閉する蓋板を設けると共にこの蓋板をごみ箱下方に設けた第一ペダルの上下動により昇降する昇降部材の当接により押し上げるごみ箱にして、第一ごみ投入口に連通する第一ごみ収容部の下方に、上方を第二ごみ投入口とした第二ごみ収容部をごみ箱の壁面に設けた開口からごみ箱内に対して着脱自在に配し、この第二ごみ収容部をごみ箱下方に設けた第二ペダルの上下動により上下に回動する台座上に載置することにより、第二ごみ収容部が第二ペダルの下降時にごみ箱に対して前傾して上方の第二ごみ投入口が外部に露出することを特徴とするごみ箱において、昇降部材の上端の当接部に係合窓を設けると共に、蓋板裏面の当接部の中央から上記の係合窓内に進入して係合される係合突起を設け、第一ペダルの非踏み込み時に昇降杆が下降した際に、昇降杆の上端の当接部が閉じられた蓋体裏面の当接部より離れる構成とすることにより、係合突起と係合窓の係合が解除され、蓋体は第一ペダルの操作からフリーとなることを特徴とする分別収集用ごみ箱。
【請求項２】
第一ごみ収容部のごみ投入口付近にその内周との間にごみ袋の開口周縁を挟み込むための枠体を着脱自在に配すると共に、第二ごみ収容部のごみ投入口付近にもその内周との間にごみ袋の開口周縁を挟み込むための枠体を着脱自在に配し、更にごみ箱の壁面にごみ袋の持ち手を係止可能な複数個のフックを設けた請求項１記載の分別収集用ごみ箱。
【請求項３】
第一ごみ収容部に配される枠体及び第一ごみ収容部に配される枠体のそれぞれの上部にごみ袋の持ち手を係止可能な複数個のスリットを設けた請求項２記載の分別収集用ごみ箱。
【発明の詳細な説明】
【０００１】
【発明の属する技術分野】
この発明はごみ箱に関し、より詳細には複数個のごみ収容部を設けることによりごみの分別収容を可能としたごみ箱に関する。
【０００２】
【従来の技術】
ごみが分別収集されることは現代の常識であり、それに対応した分別収容を可能とするごみ箱が望まれている。このようなごみ箱自体は複数個のごみ収容部を設けることにより実現できるものであり、ごみ箱に複数個のごみ収容部を並列に設けると共にそれぞれに個別の蓋板を設けたものが公知である（例えば、実開平６−８３６０２）。
【０００３】
【発明が解決しようとする課題】
前記のごみ箱は上部に複数個のごみ投入口と蓋板を配した構成よりなるが、各収容部に十分な収容力を確保しようとするとごみ箱が幅広となり置き場所が制限される問題があった。
【０００４】
一方、現代のごみの分別収集は可燃物と不燃物の他にリサイクルの観点から更に瓶類と罐類の分別を要求し、今後更にそれ以上の分別を要求する動きもある。よって、前記のごみ箱もそれに対応して多数の収容部を設ける必要があるが、それはごみ箱がますます幅広となることを意味し、現実的にはせいぜい左右に２個のごみ収容部を設けることが限界であり、分別に十分対応できない問題があった。
【０００５】
【課題を解決するための手段】
この発明は以上の従来技術の問題点に鑑みて創作されたものであり、ごみ箱上部に設けた第一ごみ投入口に対し蓋板を回動自在に設けると共にこの蓋板をごみ箱下方に設けた第一ペダルの上下動により昇降する昇降部材により押し上げるごみ箱において、第一ごみ投入口に連通する第一ごみ収容部の下方に、上方を第二ごみ投入口とした第二ごみ収容部をごみ箱の壁面に設けた開口からごみ箱内に対して着脱自在に配し、この第二ごみ収容部をごみ箱下方に設けた第二ペダルの上下動により上下に回動する台座上に載置することにより、第二ごみ収容部が第二ペダルの下降時にごみ箱に対して前傾して上方の第二ごみ投入口が外部に露出することを特徴とする。
【０００６】
【発明の実施の形態】
以下、この発明の具体的実施例を添付図面に基づいて説明する。図１乃至図３及び図８はこの発明のごみ箱の外観を示す図である（図８においては後記するフックを外した状態を図示している）。図中符合１はプラスチック素材により構成されるごみ箱の本体を示す。この実施例においては製造及び梱包の容易性の見地から本体１の上下を第一収容部１０と基台部２とに二分割し、使用に当たりこれらを結合する構成としている。
【０００７】
本体１の基台部２は断面矩形の筒状にして、前方の壁面に第二ごみ収容部７を内部に収容するための開口３が設けられる。第二ごみ収容部７は上方を第二ごみ投入口７Ａとして開口した容器状のものであり、基台部２の底部に配された台座５上に載置されることにより基台部内に収容される（図４及び図５、図９乃至図１３参照）。台座５は本体の基台部２の開口３下方に設けた枢支部６を支点として上下に回動するものであり、前方に設けられた足踏み操作可能なペダル４がごみ箱の下方前方より突出される（図５及び図７参照）。その結果、使用者においてペダル４を踏むことにより第二ごみ収容部７が載置された台座５は枢支部６を支点として上下にシーソー状に回動し（図９及び図１０参照）、この場合、回動の支点は基台部２の開口３下方に設けられているのだから第二ごみ収容部７は前方下端を軸として回動することとなり、ペダルの下降時にごみ箱に対して前傾して上方の第二ごみ投入口７Ａが外部に露出することとなる（図８及び図１３参照）。
【０００８】
一方、本体１の第一収容部１０は断面矩形の有底の筒状にして、底部が前記の基台部２の上方に嵌入固定される。第一ごみ収容部１０は上方を第一ごみ投入口１０Ａとして開口した容器状のものであり、第一ごみ投入口に対し蓋板１１が回動自在に設けられる。蓋板１１は第一ごみ投入口１０Ａ端に枢支部１２をもってフラップ状に開閉するように設けられるものであり、使用者において直接蓋板の端を持って開閉できる他、ペダル操作によっても開閉できる下記の機構が設けられる。
【０００９】
即ち、本体１の後方の上下方向には互いに連結される昇降杆１６及び１７が昇降自在に配され、本体の基台部２の下方に設けた枢支部１６を支点として上下にシーソー状に回動する回動杆１５の後端に、下方の昇降杆１６の下端が枢支部１８をもって連結されると共に、上方の昇降杆１７の上端の当接部１７Ｂが蓋板１１裏面の枢支部１２近傍に設けた当接部１３Ｂに当接するように配される（図３、図５、図１４、図１５参照）。上記の回動杆１５の前方には足踏み操作可能な第一ペダル１４が前記の第二収容部の第二ペダル４と並ぶようにごみ箱の下方前方より突出されるものであり（図７参照）、第一ペダルの下降時に上昇する昇降杆１７、１６により蓋板１１が押し開けられることとなる（図８参照）。
【００１０】
この実施例においては、図１４及び図１５に示すように上方の昇降杆１７の上端の当接部１７Ｂに係合窓１７Ａを設けると共に、蓋板１１裏面の当接部１３Ｂの中央から上記の係合窓１７Ａ内に進入して係合される係合突起１３Ａを設け、更に第一ペダル１４の上昇時（非踏み込み時）には昇降杆１７の上端の当接部１７Ｂは閉じられた蓋体裏面の当接部１３Ｂより離れる構成としている。以上の構成を採用することにより、第一にペダルの下降時に上昇する昇降杆１７、１６により蓋板１１が押し開けられた際に、同時に蓋板１１裏面の当接部１３Ｂの係合突起１３Ａが昇降杆１７の係合窓１７Ａ内に進入して係合され、蓋板はペダル操作に追従して開閉される作用を（図８参照）、第二にペダルを離して昇降杆１７、１６が完全に下降した後は係合突起１３Ａと係合窓１７Ａの係合は解除され、蓋体はペダル操作からフリーとなり、使用者において自由に開閉できる作用を生じることとなる。
【００１１】
次に、この発明においては、ごみを各収容部に直接収容する使用法の他に、使用済みの包装用のプラスチックフィルム製のごみ袋を収容部に内装してここにごみを収容する使用法を可能とするために、第一ごみ収容部１０のごみ投入口付近にその内周との間にごみ袋の開口周縁を挟み込むための枠体１９を着脱自在に配すると共に（図４及び図５参照）、第二ごみ収容部７のごみ投入口付近にその内周との間にごみ袋の開口周縁を挟み込むための枠体８を着脱自在に配している（図５及び図６参照）。図中符合２０は枠体１９を第一ごみ収容部１０内で受け止めて係止するための係止溝、同じく９は枠体８を第二ごみ収容部７内で受け止めて係止するための係止溝を指す。又、各枠体１９及び８には複数個のスリット１９Ａ及び８Ａを上方から設けており、こうすることにより所謂「買い物ポリ袋」としてスーパーマーケットなどの包装用袋を中心に広く使用されている一対の切り欠き状の持ち手を有するプラスチックフィルム製のごみ袋をスリット間に係止することが可能となる。
【００１２】
又、この発明においてはごみ箱の壁面にごみ袋の持ち手を係止可能な複数個のフック３０を設けている。この実施例においてはフック３０は基台部２の左右の側壁に一対設けられるものであり、これらのフックは上方に一対のフック部材３０Ａ、３０Ｂを突設すると共に、下方に一対のフック部材３０Ｃ、３０Ｄを突設した構成よりなり（図１６参照）、前記の持ち手を有するプラスチックフィルム製のごみ袋の持ち手を一対のフック部材間に掛け渡して係止することを可能としている。
【００１３】
【発明の効果】
以上の構成よりなるこの発明は次の特有の効果を奏する。
▲１▼２個のごみ収容部を備えているが、上下に振り分けているので設置面積は従来のごみ箱と同等であり、限られたスペースでも収容能力の高い分別ごみ箱を使用することが可能となる。
▲２▼２個のごみ収容部を上下に振り分けているので、例えば料理屑等の生ごみは手元近くの上方の第一収容部、その他の不燃ごみは下方の第二収容部といったごみの発生場所及び発生頻度に応じた使い分けが可能となる。
▲３▼下方のごみ収容部も上方のごみ収容部同様、ペダル操作により開閉できるので操作性が良好となる。
▲４▼第一ごみ収容部に配される枠体及び第一ごみ収容部に配される枠体のそれぞれの上部にごみ袋の持ち手を係止可能な複数個のスリットを設けているので、一つのごみ収容部内に複数個のごみ袋を配することが可能となり、一方ごみ箱の壁面にごみ袋の持ち手を係止可能な複数個のフックを設けているので、これらを使用した場合は一つのごみ箱で他種類の分別に対応することが可能となる。
【図面の簡単な説明】
【図１】  この発明の分別収集用ごみ箱の側面図。
【図２】  同上、正面図。
【図３】  同上、背面図。
【図４】  同上、第二収容部を外した状態の断面図。
【図５】  同上、第二収容部を収容した状態の断面図。
【図６】  同上、第二収容部を収容した状態の断面図。
【図７】  同上、底面図。
【図８】  同上、フックを外した状態の斜視図。
【図９】  同上、第二収容部及びフックを外した状態の基台部分の斜視図。
【図１０】  同上、第二収容部及びフックを外した状態の基台部分の斜視図。
【図１１】  同上、第二収容部の斜視図。
【図１２】  同上、第二収容部を収容しフックを外した状態の基台部分の斜視図。
【図１３】  同上、第二収容部を収容しフックを外した状態の基台部分の斜
【図１４】  同上、第一収容部と蓋体の枢支部付近の斜視図。
【図１５】  同上、第一収容部と蓋体の枢支部付近の斜視図。
【図１６】  同上、フックの斜視図。
【符号の説明】
１      ごみ箱の本体
４      第二ペダル
５      台座
７      第二収容部
１０    第一収容部
１１    蓋体
１４    第二ペダル
３０    フック
【図１】
0003906025.tif 000002
【図２】
0003906025.tif 000003
【図３】
0003906025.tif 000004
【図４】
0003906025.tif 000005
【図５】
0003906025.tif 000006
【図６】
0003906025.tif 000007
【図７】
0003906025.tif 000008
【図８】
0003906025.tif 000009
【図９】
0003906025.tif 000010
【図１０】
0003906025.tif 000011
【図１１】
0003906025.tif 000012
【図１２】
0003906025.tif 000013
【図１３】
0003906025.tif 000014
【図１４】
0003906025.tif 000015
【図１５】
0003906025.tif 000016
【図１６】
0003906025.tif 000017